(57)【特許請求の範囲】
【請求項１】
それぞれＰＣＳ電話機動作モードおよび携帯電話機動作モードのいずれか一方である第１動作モードおよび第２動作モードに対応する第１ＲＦ回路と第２ＲＦ回路とを有し、第１局部発振器信号を含む前記第１ＲＦ信号または第２局部発振器信号を含む前記第２ＲＦ信号を受信して前記第１ＲＦ回路の第１の動作モードおよび前記第２ＲＦ回路の第２の動作モードとの間で切替える無線周波数集積回路であって、
前記第１の動作モードの場合に前記第１ＲＦ信号を受信する第１入力と、
前記第２の動作モードの場合に前記第２ＲＦ信号を受信する第２入力と、
第１制御入力を有し、受信信号と前記第１ＲＦ信号から前記第１の動作モードで動作可能な第１ＲＦミキサと、
第２制御入力を有し、受信信号と前記第２ＲＦ信号から前記第２の動作モードで動作可能な第２ＲＦミキサと、
前記第１入力と前記第２入力とに接続され、前記第１ＲＦ信号と前記第２ＲＦ信号の存在を検出して、その論理ポートに第１出力信号と第２出力信号とを発生させる検出器と、
前記検出器の前記第１出力信号を前記第１ミキサの前記第１制御入力で、前記第２出力信号を前記第２ミキサの前記第２制御入力でそれぞれ受け、前記第１ＲＦ回路および第１ＲＦミキサ、および前記第２ＲＦ回路および前記第２ＲＦミキサを、前記第１の動作モードと前記第２の動作モードの間で外部制御信号を用いることなく自律的に切替えるモード制御回路とを含む無線周波数集積回路。
【請求項２】
前記第１の動作モードで動作可能であり、動作させるための前記第１制御入力を有する第１ＲＦ増幅器と、
前記第２の動作モードで動作可能であり、動作させるための前記第２制御入力を有する第２ＲＦ増幅器とを含み、
前記第１制御入力と前記第２制御入力は前記制御装置に接続されて前記第１ＲＦ増幅器は前記第１の動作モードで動作し、前記第２ＲＦ増幅器は前記第２の動作モードで動作する請求項１記載の無線周波数集積回路。
【請求項３】
前記検出器は、第１容量性タップ及び第２容量性タップによって前記第１入力及び前記第２入力とに接続される請求項１記載の無線周波数集積回路。
【請求項４】
前記第１の動作モードはＰＣＳ電話機モードであり、前記第２の動作モードは携帯電話機モードである請求項１記載の無線周波数集積回路。
【請求項５】
請求項１乃至４のうちいずれか一項記載の無線周波数集積回路を含む可動式無線装置。
【発明の詳細な説明】
【０００１】
［発明の属する技術分野］
本発明は、一般的に無線周波数集積回路に係り、特に携帯無線機又は類似のアプリケーションにおいて使用する多モードＲＦ集積回路に係る。
【０００２】
一つ以上のモードで動作可能な携帯電話機に制限されないが、それを含む可動式無線機のようなアプリケーションにおいて集積回路の需要がある。例えば、可動式無線機及び携帯電話器の内部構造が主としてアナログ動作モードからデジタル動作モードへ移行すると、アナログとデジタルの両方のモードで動作する可動式無線機が必要となる。セルラ動作モードとＰＣＳ動作モードで動作するデュアルモード携帯電話機は、ユーザに、ユーザの場所に依存して周波数のセルラバンド又は周波数のＰＣＳバンドで電話機を使用することを可能にする。
【０００３】
デュアルモード動作は、さらに無線周波数集積回路（ＲＦＩＣ）を、受信信号路に増幅器を挿入したり、又は受信信号路から増幅器を取り除いたりして再構成することを可能にし、受信信号路に低ノイズ増幅器を挿入して弱い信号を増幅したり、又は受信信号の強さが増幅器無しで処理するのに適当である場合に低ノイズ増幅器を受信信号路から取り除いて強い信号をひずみがなく受信できるようにしたりする。
【０００４】
ＲＦ集積回路における付加的な機能の需要、特に多モードＲＦＩＣの需要とより一層小さな装置の要求は矛盾する。一般的に可動式無線機、特に携帯電話機は既に非常にコンパクトであり、より一層小さな電話機の要求は引き続き大きくなる。
【０００５】
電話機が小さくなれば小さくなるほど、より小さいＲＦＩＣの物理的要求は大きくなる。ＲＦＩＣのサイズを小さくするための要求の一つは、ピンの総数を減少することである。多モード又は現在までの機能のような更なる特性を追加するためには、多モードからモードを選択、又は多機能を制御するために新しい制御接続及び付加的なピンがＩＣに追加されなければならない。ピンを追加することは、ＲＦＩＣのサイズを減少することにはならず、本発明は上記を解決すべく提案する。
［本発明の詳細な説明］
本発明は、動作用多モード及び／又は多機能を有する無線周波数集積回路の提供を目的とする。
【０００６】
本発明は更に、モードの選択又は機能を動作又は停止させるための付加的なピンを有さない多モード又は多機能ＲＦＩＣを提供することを目的とする。
【０００７】
本発明は更に、適当な動作モード及び／又はＲＦ集積回路内の検出信号に基づいて機能の動作又は停止を自動的に決定し、外部の制御信号を必要とせず、更に重要なことには制御信号が送られる余分のピンを必要とせずにＲＦ集積回路のモード又は機能を制御するために上記信号の状態を使用する多モード又は多機能ＲＦＩＣを提供することを目的とする。
【０００８】
本発明の好適な実施例に従って簡単に述べると、それぞれＰＣＳ電話機動作モードおよび携帯電話機動作モードのいずれか一方である第１動作モードおよび第２動作モードに対応する第１ＲＦ回路と第２ＲＦ回路とを有し、第１局部発振器信号を含む前記第１ＲＦ信号または第２局部発振器信号を含む前記第２ＲＦ信号を受信して前記第１ＲＦ回路の第１の動作モードおよび前記第２ＲＦ回路の第２の動作モードとの間で切替える無線周波数集積回路であって、前記第１の動作モードの場合に前記第１ＲＦ信号を受信する第１入力と、前記第２の動作モードの場合に前記第２ＲＦ信号を受信する第２入力と、第１制御入力を有し、受信信号と前記第１ＲＦ信号から前記第１の動作モードで動作可能な第１ＲＦミキサと、第２制御入力を有し、受信信号と前記第２ＲＦ信号から前記第２の動作モードで動作可能な第２ＲＦミキサと、前記第１入力と前記第２入力とに接続され、前記第１ＲＦ信号と前記第２ＲＦ信号の存在を検出して、その論理ポートに第１出力信号と第２出力信号とを発生させる検出器と、前記検出器の前記第１出力信号を前記第１ミキサの前記第１制御入力で、前記第２出力信号を前記第２ミキサの前記第２制御入力でそれぞれ受け、前記第１ＲＦ回路および第１ＲＦミキサ、および前記第２ＲＦ回路および前記第２ＲＦミキサを、前記第１の動作モードと前記第２の動作モードの間で外部制御信号を用いることなく自律的に切替えるモード制御回路とを含む無線周波数集積回路が提供される。
【０００９】
本発明に更なる面において、上記集積回路は、第１モードで動作し、動作させるための第１制御入力を有する集積回路上の第１ＲＦ増幅器と、第２モードで動作し、動作させるための第２制御入力を有する集積回路上の第２ＲＦ増幅器を有し、上記第１制御入力と上記第２入力は上記制御装置に接続され、従って第１ＲＦ増幅器は第１モードで動作し、第２増幅器は第２モードで動作する。
【００１０】
本発明の更なる面において、上記回路はＰＣＳモード及びセルラモードで動作可能な携帯電話器とチップの外部にあるソースから外部制御信号を用いることなくモードを切替える制御装置のためにＲＦプロセッサ集積回路が提供される。
【００１１】
本発明の更なる面において、自律ＲＦ集積回路は、集積回路の信号路内にある制御可能な減衰器と、受信信号レベルに応答して上記受信信号レベルに関係する信号出力を発生させる検出器を含み、上記減衰器は受信信号の強さに応答して減衰器の減衰を変化する、上記検出器に接続された制御入力を有する。
【００１２】
本発明の更なる面において、自律ＲＦプロセッサ集積回路は、低ノイズ増幅器と受信信号レベルに応答して上記信号路に低ノイズ増幅器を挿入するか、又は増幅器が増幅器無しで処理するのに適当である場合に増幅器を取り除くかを選択する検出器を含む。
［発明の実施の形態］
本発明の新規の面は特に請求項において説明される。本発明の更なる目的及び利点は、添付図を参照し実施例によって詳細に説明されることによって明らかになろう。
【００１３】
図１を参照するに、無線周波数集積回路（ＲＦＩＣ）の一部は輪郭１０によって取り囲まれている。上記がＲＦＩＣの全体を示す場合もあるが、付加的な回路を含むＲＦＩＣの一部であることが適当である。ＲＦＩＣは半導体チップ上に利用可能で適当な製造方法によって形成される。本発明は、特別の半導体技術に制限されない。
【００１４】
チップは、ブロックで図１に点で示される複数の入力及び出力接続を含む。実際には、上記接続は、集積回路パッケージ上のピン又は同様の構造物に接続される集積回路チップの上に設けられるパッドである。集積回路チップのピンを追加することは、物理的に大きなパッドを追加しなければならないのでチップのサイズを増加させ、更に付加的なピンを追加しなくてはならないのでパッケージのサイズも増加される。集積回路チップのサイズを増加することはその費用を増加させ、一般的にはサイズが小さく費用がそれほどかからないことの利点を減少させる。集積回路が装備されるパッケージのサイズを増加すると、特定のアプリケーションのパッケージを大きくする場合がある。本発明は、動作モードを制御するためにＲＦ集積回路にピンを追加する必要を排除する。更に、本発明は、外部回路、特にモードの検出及び当該のＲＦ集積回路に送られるモード制御信号を発生させる外部回路の必要を減少又は排除する。
【００１５】
図１では、ＲＦ集積回路は、携帯電話機の受信信号を増幅するように適応されたＲＦ増幅器１２と、チップの外部にあるアンテナ、デュプレクサ、フィルタ又は類似のものからの信号を受信する入力１４を含む。増幅器１２はフィルタ１８に接続される出力１６を有し、フィルタ１８はミキサ２２に接続される出力２０を有する。上記は全て携帯電話器の受信機における従来の回路である。
【００１６】
ＲＦ増幅器１２は、増幅器を動作又は停止させる電源入力２４を有する。ミキサ２２は、ミキサを動作又は停止させる電源入力２６を有する。電源入力２４及び２６は制御可能なスイッチ３０の一つの端子に接続され、スイッチ３０はチップの外部にある補正電源電圧ＶＣＣと接続されるもう一つの端子３４を有し、電源電圧は端子３８においてチップと接続することが好適である。スイッチ３０は、上記スイッチを選択的に開閉する論理レベル信号を受信するように適応される制御入力４０によって制御される。スイッチ３０は集積回路上に形成されるトランジスタの場合もある。
【００１７】
ＲＦ集積回路は、ＰＣＳ電話機の受信信号を増幅するように適応される第２のＲＦ増幅器４２と、チップの外部にあるアンテナ、デュプレクサ、フィルタ又は類似のものからの信号を受信する入力４４を有する。増幅器４２は、フィルタ４８に接続される出力４６を有し、フィルタ４８はミキサ５２に接続される出力５０を有する。上記の部分は、ＲＦ集積回路の携帯電話器チャネルのための類似の部分と略一致する。
【００１８】
増幅器４２とミキサ５２は電源入力５４及び５６をそれぞれ有する。これらは制御可能なスイッチ７０の一つの端子に接続され、スイッチ７０の第２の端子は電源電圧ＶＣＣに接続される。スイッチ７０は制御入力７２に送信される論理レベル信号によって制御される。スイッチ３０及び７０は、スイッチ３０がオンの時はスイッチ７０がオフであり、又スイッチ７０がオンの時はスイッチ３０がオフであるように構成される。
【００１９】
スイッチ３０及び７０のそれぞれの制御入力４０及び７２は、ＲＦ感知及びモード制御回路７８の第１出力７４と第２出力７６とに接続される。ＲＦ感知及びモード制御回路７８は第１入力８０と第の入力８２を有し、ミキサ２２及び５２の局部発振器入力８４及び８６にそれぞれ接続される。ＲＦ感知及びモード制御回路の入力は、スイッチ３０と７０を動作させる論理レベル信号を出力７４及び７６に発生させるために、ＲＦ感知及びモード制御回路内の検出器をトリガするのに丁度適当なミキサに送られる小さな量の信号と結合するために、ミキサの入力と容量結合される。
【００２０】
局部発振器信号は、ＲＦ集積回路のピン９０及び９１を介して印加され、ミキサ２２及び５２のＩＦ出力はＲＦ集積回路のピン９４及び９６にそれぞれ供給される。
【００２１】
上記配置によって、セルラ及びＰＣＳ信号チェーンに対するミキサへのそれぞれの局部発振器入力の感知だけに基づいて、モードを切替えるための別個の制御入力を必要とせずに、ＲＦ集積回路がセルラ動作モードとＰＣＳ動作モードを自律的に切替えることを可能にする。
【００２２】
図２は自律ＲＦプロセッサ集積回路が示され、チップの外部にあるソースに接続される入力１０２と、フィルタ１０６に接続され、その出力がミキサ１０８の第１入力に接続される出力１０４を有する増幅器１００が含まれる。上記ミキサは第２入力１１０と出力１１２を有し、両方ともＲＦ集積回路の入力／出力ピンに接続される。
【００２３】
容量性タップ１１４は、増幅器１００の出力と、出力１１６で制御信号を発生させる閾値検出モード制御装置１１５の入力に接続される。上記制御信号は、十分に強い信号が発生される場合に増幅器を選択的にバイパスして、直線性を改善し増幅器が過負荷されることを阻止するように増幅器１００に亘って接続されるスイッチ１２０を制御する。モード制御装置１１５は受信信号レベルに応答し、スイッチが増幅器を完全にバイパスする間は、出力１１６で発生する信号は、上記信号の出力に応答して増幅器の利得を比例して制御するように使用される。
【００２４】
本発明の更なる実施例において、増幅器１００は制御可能な減衰器に置換されることが可能であり、その減衰は制御装置１１５の出力によって制御される。
【００２５】
本発明は、携帯電話機において好適な実施例を用いて説明される。当業者には、本発明の真の目的及び範囲に外れることのない多数の修正と変更が想到されるであろう。本発明は携帯電話機、更には可動式無線機に限られない適用性を有する。本発明は、請求項によってのみ定義される。
【図面の簡単な説明】
【図１】  本発明による無線周波数集積回路の一部を示すブロック図である。
【図２】  本発明のもう一つの面による別の無線周波数集積回路の一部を示すブロック図である。
【図１】
0004582742.tif 000002
【図２】
0004582742.tif 000003